【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  複数のセル基地局を持った無線ネットワークの容量を増大させるための方法であって：
割り当てのために利用可能な周波数のプールを定義すること；
前記利用可能な周波数のプールから前記複数のセル基地局の各々に利用可能な周波数を割り当てることであって、該周波数と同じ周波数が割り当てられる隣接したセル基地局が制限されるように周波数を割り当てること；
前記複数のセル基地局の中の少なくとも１つのセル基地局に関連した信号特性のパラメーターを決定すること；及び、
前記少なくとも１つのセル基地局に関連した前記信号特性のパラメーターの決定に基づいて、前記割り当てのための利用可能な周波数のプールを変更することのステップを含む方法。
【請求項２】  前記定義のステップが：
割り当てのために利用可能な周波数の集合体から少なくとも２つの周波数を選択することのサブステップを含む、請求項１に記載の方法。
【請求項３】  前記割り当てのステップが：
セル基地局の１つを選択すること；
前記選択されたセル基地局に隣接するセル基地局に割り当てられている周波数を決定すること；及び、
前記隣接するセル基地局に割り当てられた周波数の決定に基づいて、前記選択されたセル基地局に利用可能な周波数の１つを割り当てることのサブステップを含む、請求項１に記載の方法。
【請求項４】  前記割り当てのステップが：
前記セル基地局の全てに周波数が割り当てられた後、隣接するセル基地局によって生じるセル基地局の干渉の大きさを決定することのサブステップを含む、請求項１に記載の方法。
【請求項５】  前記割り当てのステップがさらに：
前記干渉の大きさの結果を予め決められた閾値と比較すること；
前記干渉の大きさの結果が前記予め決められた閾値より大きい場合、割り当てのための周波数のプールを増大すること；及び、
同じ利用可能な周波数が割り当てられた隣接するセル基地局の数が最小になるように、前記増大された利用可能な周波数のプールを前記セル基地局に割り当てることのサブステップを含む、請求項４に記載の方法。
【請求項６】  前記ネットワークの通信可能領域を特定することをさらに含み；さらに、
前記定義のステップが：
前記ネットワークの前記通信可能領域の特定の結果に基づいて、割り当てのために利用可能な周波数を選択することのサブステップをさらに含む、請求項１に記載の方法。
【請求項７】  複数のセル基地局を持った無線ネットワークの容量を増大させるための装置であって：
割り当てのために利用可能な周波数のプールを定義するための周波数定義部分；
前記利用可能な周波数のプールから前記複数のセル基地局の各々に利用可能な周波数を割り当てるための割り当て部分であって、該周波数と同じ周波数が割り当てられる隣接したセル基地局が制限されるように周波数を割り当てる割り当て部分；
前記複数のセル基地局の中の少なくとも１つのセル基地局に関連した信号特性のパラメーターを決定するための決定部分；及び、
前記少なくとも１つのセル基地局に関連した前記信号特性のパラメーターの決定に基づいて、前記割り当てのために利用可能な周波数のプールを変更するための周波数部分を備える装置。
【請求項８】  前記周波数定義部分が：
割り当てに利用可能な周波数の集合体から少なくとも２つの周波数を選択するための選択部分を含む、請求項７に記載の装置。
【請求項９】  前記割り当て部分が：
前記セル基地局の１つを選択するための選択部分；
前記選択されたセル基地局に隣接するセル基地局に割り当てられている周波数を決定するための決定部分；及び、
前記隣接するセル基地局に割り当てられている周波数の決定に基づいて、前記選択されたセル基地局に前記利用可能な周波数の１つを割り当てるための周波数割り当て部分を含む、請求項７に記載の装置。
【請求項１０】  前記割り当て部分が：
前記セル基地局の全てに周波数が割り当てられた後、隣接するセル基地局によって生じるセル基地局の干渉の大きさを決定するための決定部分を含む、請求項７に記載の装置。
【請求項１１】  前記割り当て部分がさらに、
前記干渉の大きさの結果を予め決められた閾値と比較するための比較部分；
前記干渉の大きさの結果が前記予め決められた閾値より大きい場合、割り当てのための周波数のプールを増大するための周波数部分；及び、
同じ利用可能な周波数が割り当てられた隣接するセル基地局の数が最小になるように、前記増大された利用可能な周波数のプールを前記セル基地局に割り当てるための周波数割り当て部分を含む、請求項１０に記載の装置。
【請求項１２】  前記ネットワークの通信可能領域を特定するためのネットワーク通信可能領域部分をさらに備え；さらに、
前記周波数定義部分が：
前記ネットワークの通信可能領域の特定の結果に基づいて、割り当てのために利用可能な周波数を選択するための周波数選択部分を含む、請求項７に記載の装置。
【請求項１３】  複数のセル基地局を持った無線ネットワークの容量を増大させるためのコンピュータープログラム製品であって：
割り当てのために利用可能な周波数のプールを定義するための周波数定義モジュール；
前記利用可能な周波数のプールから前記複数のセル基地局の各々に利用可能な周波数を割り当てるための割り当て部分であって、該周波数と同じ周波数が割り当てられる隣接したセル基地局を制限するために周波数を割り当てる割り当てモジュール；
前記複数のセル基地局の中の少なくとも１つのセル基地局に関連した信号特性のパラメーターを決定するための決定モジュール；及び、
前記少なくとも１つのセル基地局に関連した前記信号特性のパラメーターの決定に基づいて、前記割り当てのための利用可能な周波数のプールを変更するための周波数モジュールを備えるコンピュータープログラム製品。
【請求項１４】  前記周波数定義モジュールが：
割り当てに利用可能な周波数の集合体から少なくとも２つの周波数を選択するための選択モジュールを含む、請求項１３に記載のコンピュータープログラム製品。
【請求項１５】  前記割り当てモジュールが：
前記セル基地局の１つを選択するための選択モジュール；
前記選択されたセル基地局に隣接するセル基地局に割り当てられている周波数を決定するための決定モジュール；及び、
前記隣接するセル基地局に割り当てられている周波数の結果に基づいて、前記選択されたセル基地局に前記利用可能な周波数の１つを割り当てるための周波数割り当てモジュールを含む、請求項１３に記載のコンピュータープログラム製品。
【請求項１６】  前記割り当てモジュールが：
前記セル基地局の全てに周波数が割り当てられた後、隣接するセル基地局によって生じるセル基地局の干渉の大きさを決定するための決定モジュールを含む、請求項１３に記載のコンピュータープログラム製品。
【請求項１７】  前記割り当てモジュールがさらに、
前記干渉の大きさの結果を予め決められた閾値と比較するための比較モジュール；
前記干渉の大きさの結果が前記予め決められた閾値より大きい場合、割り当てのための周波数のプールを増大するための周波数モジュール；及び、
同じ利用可能な周波数が割り当てられた隣接するセル基地局の数が最小になるように、前記増大された利用可能な周波数のプールを前記セル基地局に割り当てるための周波数割り当てモジュールを含む、請求項１６に記載のコンピュータープログラム製品。
【請求項１８】  前記ネットワークの通信可能領域を特定するためのネットワーク通信可能領域モジュールをさらに備え；さらに、
前記周波数定義モジュールが：
前記ネットワークの通信可能領域の特定の結果に基づいて、割り当てのために利用可能な周波数を選択するための周波数選択モジュールを含む、請求項１３に記載のコンピュータープログラム製品。
【請求項１９】  無線ネットワークの容量を増大させる方法であって：
無線ネットワークのセル基地局を特定すること；
割り当てのために利用可能な周波数のプールを定義すること；
前記セル基地局の１つを選択すること；
前記選択されたセル基地局に隣接するセル基地局に割り当てられている周波数を決定し、決定された周波数を与えること；
同じ利用可能な周波数が割り当てられた隣接したセル基地局の数を制限するために、前記決定された周波数に基づいて前記選択されたセル基地局に前記利用可能な周波数の１つを割り当てること；
前記セル基地局の中の少なくとも１つのセル基地局に関連した信号特性のパラメーターを決定すること；及び、
前記少なくとも１つのセル基地局に関連した前記信号特性のパラメーターの結果に基づいて、前記割り当てのために利用可能な周波数のプールを変更することのステップを含む方法。
【請求項２０】  複数のセル基地局を持ったデジタルネットワークの容量を最適に増大させるためにコンピューターで実施される方法であって：
（ａ）割り当てのために利用可能な周波数のプールを定義すること；
（ｂ）前記セル基地局の１つを選択すること；
（ｃ）前記選択されたセル基地局に隣接するセル基地局に割り当てられている周波数を決定すること；
（ｄ）前記隣接するセル基地局に割り当てられている周波数の決定に基づいて前記選択されたセル基地局に前記利用可能な周波数の１つを割り当てること；
（ｅ）前記セル基地局の全てに周波数を割り当てた後、隣接するセル基地局によって生じるセル基地局の干渉の大きさを決定すること；
（ｆ）前記干渉の大きさの結果を予め決められた閾値と比較すること；
（ｇ）前記干渉の大きさの結果が前記予め決められた閾値より大きい場合、割り当てのための周波数のプールを増大すること；及び、
（ｈ）前記干渉の結果が予め決められた閾値より小さくなるまで、増大した数の利用可能な周波数を使用してステップ（ａ）から（ｇ）を繰り返すことのステップを含む方法。
【請求項２１】  複数のセル基地局を持った無線ネットワークの容量を増大させるための方法であって：
利用可能な周波数のプールから前記複数のセル基地局の各セル基地局に利用可能な周波数を割り当てること；
前記複数のセル基地局の中の少なくとも１つのセル基地局の干渉の大きさを減少させるために、割り当てのために利用可能な周波数のプールを増大させること；
同じ利用可能な周波数が割り当てられた隣接するセル基地局の数を制限するために、前記増大した利用可能な周波数のプールをセル基地局に割り当てることのステップを含む方法。
【請求項２２】  複数のセル基地局を持った無線ネットワークの容量を増大させるための装置であって：
割り当てのために利用可能な周波数のプールを定義するための周波数定義部分；
前記利用可能な周波数のプールから前記複数のセル基地局の各セル基地局に利用可能な周波数を割り当てるための割り当て部分；
前記複数のセル基地局の少なくとも１つのセル基地局の干渉の大きさを減少させるために、前記利用可能な周波数のプールを増大させるための周波数部分；及び、
同じ利用可能な周波数が割り当てられた隣接するセル基地局の数を制限するために、前記増大した利用可能な周波数のプールをセル基地局に割り当てるための周波数割り当て部分を備える装置。
【請求項２３】  複数のセル基地局を持った無線ネットワークの容量を増大させるためのコンピュータープログラム製品であって：
割り当てのために利用可能な周波数のプールを定義するための周波数定義モジュール；
前記利用可能な周波数のプールから前記複数のセル基地局の各セル基地局に利用可能な周波数を割り当てるための割り当てモジュール；
前記複数のセル基地局の少なくとも１つのセル基地局の干渉の大きさを減少させるために、前記利用可能な周波数のプールを増大させるための周波数モジュール；及び、
前記同じ利用可能な周波数が割り当てられた隣接するセル基地局の数を制限するために、前記増大した利用可能な周波数のプールをセル基地局に割り当てるための周波数割り当てモジュールを備えるコンピュータープログラム製品。
【請求項２４】  複数のセル基地局を持った無線ネットワークの容量を増大させるための方法であって：
利用可能な周波数のプールから前記複数のセル基地局の各セル基地局に利用可能な周波数を割り当てること；
前記複数のセル基地局の少なくとも１つのセル基地局の干渉の大きさを決定すること；
前記干渉の大きさの結果に基づいて、割り当てのために利用可能な周波数のプールを変更すること；及び、
同じ利用可能な周波数が割り当てられた隣接するセル基地局の数を制限するために、前記変更された利用可能な周波数のプールを前記セル基地局に割り当てることのステップを含む方法。
【請求項２５】  複数のセル基地局を持った無線ネットワークの容量を増大させるための装置であって：
利用可能な周波数のプールから前記複数のセル基地局の各セル基地局に利用可能な周波数を割り当てるための割り当て部分；
前記複数のセル基地局の少なくとも１つのセル基地局の干渉の大きさを決定するための決定部分；
前記干渉の大きさの結果に基づいて、割り当てのために前記利用可能な周波数のプールを変更するための周波数部分；及び、
前記同じ利用可能な周波数が割り当てられた隣接するセル基地局の数を制限するために、前記変更された利用可能な周波数のプールを前記セル基地局に割り当てるための周波数割り当て部分を備える装置。
【請求項２６】  複数のセル基地局を持った無線ネットワークの容量を増大させるためのコンピュータープログラム製品であって：
利用可能な周波数のプールから前記複数のセル基地局の各セル基地局に利用可能な周波数を割り当てるための割り当てモジュール；
前記複数のセル基地局の少なくとも１つのセル基地局の干渉の大きさを決定するための決定モジュール；
前記干渉の大きさの結果に基づいて、割り当てのために前記利用可能な周波数のプールを変更するための周波数モジュール；及び、
前記同じ利用可能な周波数が割り当てられた隣接するセル基地局の数を制限するために、前記変更された利用可能な周波数のプールを前記セル基地局に割り当てるための周波数割り当てモジュールを備えるコンピュータープログラム製品。